(57)【要約】      （修正有）【課題】書籍内に印刷されたＱＲコード（登録商標）をスマートフォン等の機器を利用して読み取る事で接続できる専用ウェブサイトを利用して、ページ数あたり従来よりも多量の文字情報や図説情報と動画等の具体的な視覚情報を入手できる事が可能な書籍を提供する。【解決手段】運動教本において、著者が提供しようとする情報の更に具体的な情報が提供される専用ウェブサイトを利用する為のＱＲコード１を、スマートフォン等のＱＲコードが読み取り可能な機器を使用して読み取り、専用ウェブサイトに接続する。読者は、スマートフォン等を利用して専用ウェブサイトに接続後は、接続中のスマートフォン等の画面に表示される指示に従い、購入した書籍毎に固有の接続コードを入力し、表示された専用ウェブサイトを利用して必要な知識や情報を得る。【選択図】図２
2019053702.tif 000002
【特許請求の範囲】
【請求項１】
平面的な印刷情報のみで構成された書籍の中に、個々の項目に関連する動画や、動画以外の項目関連情報を入手できる専用ウェブサイトに接続できるＱＲコードを、項目のページ毎に記載する事で、平面印刷媒体である書籍とウェブを利用した関連情報検索を組み合わせて、書籍の体裁のままで、入手できる情報の質量を増やせる情報入手システム。
【請求項２】
著作の内容を関連動画や動画以外の関連項目情報で詳細に知る事ができる専用ウェブサイトに接続できるＱＲコードを印刷した書籍。
【請求項３】
専用ウェブサイト内で使用された、物品や洋服等に関する広告宣伝効果も付随する項目内容別専用ウェブサイトにアクセスできるＱＲコードを著作内の項目内容毎に印刷した書籍。
【請求項４】
項目内容別の専用ウェブサイトにアクセスできるＱＲコードを記載した事で、スマートフォン等を利用して移動中や屋外等でも、専用再生機器無に動画情報等を利用可能にした書籍。
【請求項５】
項目内容別の専用ウェブサイトにアクセスできるＱＲコードを記載した書籍を利用する事で、従来必要としていたビデオテープやＤＶＤと専用再生機器が不要に為った教育等情報伝達システム。
【発明の詳細な説明】
【技術分野】
【０００１】主に印刷紙媒体を主とした出版物、特に所謂ハウツー本や学習用書籍、学問学術書の利用範囲拡充と、内容の具体的理解を得る事に利用する。
【背景技術】
【０００２】従来所謂ハウツー本や教育書籍等で紹介しようとしている技術等は、身体的な動き等、読者に対し動体的視覚説明が必要とされる場合でも、印刷された静止図画若しくは写真等で表現するしか無かった。
又、学問学術書の類では著者が当該著書の結論に至った事由を構成する参考文献名や引用文献名を巻末等に纏めて記載するのが常であったが、読者がそれらの文献の具体的な内容を入手確認するのは物理的時間的負担を強いられる場合があった。
また逆に従来の教育用ビデオ等に代表される動画のみの出版物では、制作者側が利用者にしっかりと記憶認識してほしい部分でも、動画的には一瞬の音声として聞き流してしまい記憶に残り難い可能性も有る一方で、不特定多数の利用者を対象に、利用者毎に個人差の有る記憶認識能力に合わせて、動画を編集する事は商業的な意味から実質的に不可能であった。
【発明の概要】
【発明が解決しようとする課題】
【０００３】例えば、料理や生け花等の文化的分野、スポーツを主とした身体の動きを伴う分野を書籍で説明する場合、紙面に印刷された平面情報では、身体の動きや使用する機材等の動作要領の具体的なイメージが捉えにくい場合が有り、同様に書籍の内容に関しても平面的な印刷物だけでは、著者の読者に伝えようとする動作情報や意図が読者に対し正確に伝わりにくい場合や曲解される場合も有った。
学問学術書においては、参考文献や引用文献に読者が触れようにも、その文献の量によっては読者の時間的負担が大きい場合も有り、文献が絶版書籍の場合等は事実上読者による検証確認は読者に労力を強いる事で版元としては、望ましく無かった。
また逆に従来の教育用ビデオ等に代表される動画のみの出版物では、制作者側がしっかりと記憶認識して欲しい部分でも、動画的には瞬時の音声として聞き流してしまい、利用者の記憶に残らない場合も有り、更に利用者毎に個人差の有る不特定多数の動画利用者の記憶力に合わせて動画を編集する事は商業的に難しく、印刷された文字情報で有れば必要な部分を強調して記載すれば済む場合でも、動画情報だけでは制作者が目的とした水準までの情報伝達が可能であるか確証が得られなかった。
【課題を解決する為の手段】
【０００４】所謂ハウツー本や学習用書籍においては、書籍内の掲載内容項目ごとに、動画を含めて必要な情報が入手できる専用ウェブサイトに誘導する為のＱＲコードを該当するページに印刷する事により、読者はスマートフォン等のＱＲコードを読み取る機能がついた機器を利用して、該当するＱＲコードを読み取る、該当するウェブサイトの初期画面に表示される書籍を購入した読者固有のアクセスコードを入力する事で、著者が読者に対して伝えようとしている知識や情報を、動画も含んだ形でより具体的に入手できるウェブページを利用できる。
学問学術書においては、同様の方法で参考文献の該当部分を表示したウェブサイトにアクセスする事により
著者が読者に伝えようとしている内容の根拠や背景をより具体的に知る事ができる。
同時に従来ビデオＤＶＤ等で発売されていた教育用ソフト等は本考案を利用する事で専用の再生機器を用意する必要が無くなり、同時に動画だけでは伝わりにくい可能性が有る情報を印刷した書籍を付帯させる事により、伝えられる情報の質が向上する。
【発明の効果】
【０００５】従来の印刷紙媒体の書籍にＱＲコードというＩＴ技術を組み合わせる事により、紙媒体の書籍は１冊の書籍にページ数に於いて従来とは比較に為らない質と量の情報を掲載する事ができる。
更に紙媒体の書籍は結果的にページ数を減らす事が可能に為るため、紙を中心に関連省資源にも役立つ。
従来よりも掲載情報量あたりで、小さく薄く為った書籍は持ち運びにも便利になり、書籍本来の印刷情報媒体という役割に加えて、ＱＲコードを搭載したインターネット情報検索ツールという側面も持つ事に為り、更なるＩＴ産業の発展にも役立つ。
更に従来はビデオデッキ等の専用再生機器が必要であった教育用や所謂ハウツーＤＶＤ等も本考案を利用する事で、提供しようとする情報や知識の内容によっては、動画再生部分をスマートフォン等で対応可能な情報媒体として再構築する事で、利用者を固定した再生機器から解放しＤＶＤ等のディスク原材料費の資源節約にも役立つ。
【図面の簡単な説明】
【０００６】
【図１】本考案を利用しない運動教本見開きページの記載例である。
【図２】本考案を利用した運動教本見開きページの記載例である。
【図３】読者による本考案の利用手順である。
【発明を実施する為の形態】
【０００７】      １例として従来の運動教本等は図１に示すように、平面的静止画像を印刷し、その身体的動きは矢印等で補足し、後は印刷された言葉での説明を尽くして読者に理解を求めるしかなかった。
本考案では図１の運動説明図で不足していた情報知識を補う為に、身体的動きを説明するページ内に１のＱＲコードを印刷した。
読者は図３の本考案利用手順に従い１のＱＲコードに接続する事で、専用ウェブサイト内の動画情報を含んだ具体的な知識を入手利用する事ができると共に、著者は書籍全体に身体動作等の言語による説明を省略する事が可能に為る。
【符号の説明】
【０００８】１  ＱＲコード
【図１】
2019053702.tif 000003
【図２】
2019053702.tif 000004
【図３】
2019053702.tif 000005